(57)【要約】【課題】ナノスケール・レベルで流体流解析をするための方法および装置を提供する。【解決手段】粒子を検出する方法は、ＡＣ磁場を使って粒子を磁化するステップと、導電性で実質的に二次元の格子構造体を有する感知デバイス中で磁化された粒子からＡＣ電圧を生成するステップと、感知デバイス中でＤＣ磁場を生成されたＡＣ電圧に重畳するステップと、感知デバイスでＡＣホール電圧を測定するステップと、を含む。【選択図】図１５
2020109409.tif 000002
【特許請求の範囲】
【請求項１】
流速場を算定する方法であって、
粒子にＡＣ磁場を印加することによってチャネル中を流れる流体中の前記粒子を磁化するステップと、
前記チャネル中の第一感知デバイスで第一ＡＣホール電圧を測定するステップであって、前記第一感知デバイスが電圧バイアスされた第一グラフェン素子を含む、前記測定するステップと、
前記チャネル中の第二感知デバイスで第二ＡＣホール電圧を測定するステップであって、前記第二感知デバイスが電圧でバイアスされた第二グラフェン素子を含む、前記測定するステップと、
前記第一測定ＡＣホール電圧と前記第二測定ＡＣホール電圧との間の時間シフトを算定するステップと、
前記算定された時間シフトおよび前記第一感知デバイスと前記第二感知デバイスとの間の空間距離に基づいて、前記チャネル中の流体流速を算定するステップと、
を含む方法。
【請求項２】
前記チャネル中の第一感知デバイスで第一ＡＣホール電圧を測定するステップが、
前記第一感知デバイスの導電性で実質的に二次元の格子構造体中で、前記磁化された粒子からＡＣ電圧を生成するステップと、
前記第一感知デバイスの前記導電性で実質的に二次元の格子構造中で、ＤＣ磁場を前記生成されたＡＣ電圧に重畳するステップと、
を含む、請求項１に記載の方法。
【請求項３】
前記第一測定ＡＣホール電圧と前記第二測定ＡＣホール電圧との間の時間シフトを算定するステップが、下記式を使って、前記第一測定ＡＣホール電圧と前記第二測定ＡＣホール電圧とを相互相関させるステップを含み、
【数１】
2020109409.tif 000004
前記式のＶｃｏｒｒは相関された電圧であり、Ｖ１は第一ホール電圧信号であり、Ｖ２は第二ホール電圧信号であり、ｔは時間である、請求項１に記載の方法。
【請求項４】
前記チャネル中を流れる前記流体の平均流速が、
Ｕ＝ΔＹ／Δｔ
で表され、前式のＵは速度であり、Ｙはチャネル沿いの距離であり、ｔは時間である、請求項３に記載の方法。
【請求項５】
前記第一感知デバイスおよび前記第二感知デバイスに前記チャネル外部の参照電圧を供給するステップをさらに含む、請求項１に記載の方法。
【発明の詳細な説明】
【技術分野】
【０００１】
本発明の例示的な諸実施形態は、一般にホール効果センサに関し、さらに具体的には、マイクロスケールまたはナノスケール・レベルでの、流体流の特性識別および解析のためのグラフェンベースのホール効果センサおよびその使用に関する。
【背景技術】
【０００２】
流速測定は、流体の速度の測定である。微細粒子画像流速測定（マイクロＰＩＶ：Ｍｉｃｒｏｓｃｏｐｉｃ  Ｐａｒｔｉｃｌｅ  Ｉｍａｇｅ  Ｖｅｌｏｃｉｍｅｔｒｙ）および微細粒子追跡流速測定（マイクロＰＴＶ：Ｍｉｃｒｏｓｃｏｐｉｃ  Ｐａｒｔｉｃｌｅ  Ｔｒａｃｋｉｎｇ  Ｖｅｌｏｃｉｍｅｔｒｙ）などのマイクロスケール・レベルでの流速測定技法は、光学的（例えばレーザ）検出を用い、したがって、ガラス、ポリジメチルシロキサン（ＰＤＭＳ）、およびポリメタクリル酸メチル（ＰＭＭＡ）などの透明な材料中にエッチングされたマイクロチャネルに限定される。マイクロＰＩＶおよびマイクロＰＴＶ技法の両方とも、強いレーザ光パルスを用いる蛍光マイクロビーズの励起に依存する。また、両方の技法は、ナノスケール・レベルでの流体流にこれらを適用するのに障害となるいくつかの短所を有する。
【０００３】
磁性ナノ粒子は、様々な流速測定技法において生物検定のためのマーカ、または流体流の特性識別のためのトレーサとして使用することができる。しかしながら、ナノ粒子は、一般に、直径が約１ナノメートル（ｎｍ）〜数百ナノメートルのオーダーである。しかして、それらの小さなサイズ、弱い磁場、大きな表面−体積比、および熱的じょう乱（超常磁性）は、移動している流体での検出性を達成するための難題をもたらす。
【０００４】
ナノ粒子を対象に作動するため設計されたマイクロ−／ナノシステムの中に、磁場のセンサおよびジェネレータを作製して組み込むのは複雑で困難な作業となることがある。また、センサおよびジェネレータの使用には、検出方法において、劣弱な信号体ノイズ比を補正するための高度な検出方策が必要となり得る。かかる検出方策は、ＣＭＯＳ適合性のあるプロセス内に実装が可能であるが、これらは同様に任意の基板デバイスに実装することもできる。
【発明の概要】
【発明が解決しようとする課題】
【０００５】
微小な磁性粒子をホール・センサで検出する従来の試みは、Ｓｉ−、ＩｎＳｂ−、およびグラフェン−ベースのホール・デバイスを用いており、ポリマー母材中に分散された何千ものナノメートルサイズの酸化鉄粒子から成る磁性マイクロビーズの存在を検出することができた。しかしながら、センサがマイクロ−／ナノ流体チャネルの中に組み込まれていなかったので、さらにはこれらマイクロビーズを、高度の複雑な装置（原子間力顕微鏡（ＡＦＭ：ａｔｏｍｉｃ  ｆｏｒｃｅ  ｍｉｃｒｏｓｃｏｐｅ）、ナノマニピュレータなど）によってセンサの上部に正確に配置する必要があったため、移動するナノ粒子の検出は一般的には不可能であった。さらに、通常、約１平方マイクロメートル（μｍ２）〜約６μｍ２であるセンサ面積によって、かかるセンサを特定のマイクロ−／ナノ流体デバイスの中に組み込むのは困難、または不可能でさえあった。センサをマイクロ−／ナノ流体デバイスの中に組み込むことに関する困難さは別として、直径が数ナノメートルである単一ナノ粒子の検出は実証されていない。さらに、分散された磁性ナノ粒子群の調査に基づく、マイクロ−／ナノ流体チャネルを通る流体のフロー特性を特性識別するための方法も成功裏に実行されたことがない。
【０００６】
上記に換えて、Ａｌ２Ｏ３ベースの磁気トンネル接合（ＭＴＪ：Ｍａｇｎｅｔｉｃ  Ｔｕｎｎｅｌ  Ｊｕｎｃｔｉｏｎ）も、磁性マイクロビーズの検出のためのセンサとして使われてきた。このセンサのマイクロ流体チャネルへの組み込みによって、マイクロビーズがＭＴＪの上面を転がる際にそれらの動きの検出が可能になった。しかしながら、単一のナノメートルサイズの磁性粒子の存在を検出するためにこのアプローチをどのように使える可能性があるか、または周囲流体のフローをよりうまく特性識別するために分散粒子群をどのように使える可能性があるかは論証されなかった。さらに、センサの相対的に大きなサイズ（約１０μｍ２）が、特定のマイクロ−／ナノ流体デバイス中へのその組み込みの障害となっている。
【０００７】
同じように、ＭｇＯベースのＭＴＪは、１６ｎｍの酸化鉄ナノ粒子で標識された２．５マイクロモル（μＭ）の標的ＤＮＡを検出することができている。その際に、そのＤＮＡストランドはセンサ表面に付着することができた。有効範囲が特定の所定の閾値を上回っていれば、磁気標識（ナノ粒子）の存在を示す信号が検出された。このアプローチでは、単一ナノ粒子を検出することも、それらを使って搬送流体のフローの特性識別をすることもできなかった。また、検出のため磁性粒子をセンサの表面に付着させる必要があったので、動いている磁性粒子を検出することもできなかった。最後に、このセットアップは、各１つが８５μｍ２の表面積を有する楕円形のＭＴＪセンサの大きなアレイ（４×１０４μｍ２）を必要とし、これは特定のマイクロ−／ナノ流体デバイス中への組み込みには適さなかった。
【０００８】
また、グラフェン、ＩｎＳｂ、ＩｎＡｓ／ＡｌＳｂ（二次元電子ガス）を用いたマイクロメートルおよびサブマイクロメートルサイズのホール・センサが極小な磁場の検出に関して特性設定され最適化されてきた。かかるデバイスで複数の磁性ナノ粒子を検出する能力は実証されていない。実際上、これらの試みでは単一のナノ粒子の検出でさえ期待できなかった。さらに、かかる試みの実行は、センサの上面部へのナノ粒子の完全な配置を前提としていて、動いているナノ粒子を検出する方法も、搬送流体のフロー特性を計測する方法も提供することはなかった。
【０００９】
単一ナノ粒子の検出への別の試みでは、数十〜数百の１６ｎｍの酸化鉄ナノ粒子を検出するため、巨大磁気抵抗効果（ＧＭＲ：ｇｉａｎｔ  ｍａｇｎｅｔｏｒｅｓｉｓｔａｎｃｅ）スピン・バルブ・センサが用いられた。しかしながら、かかる試みでは、同等なサイズの単一のナノ粒子を検出することはできなかった。この検出方法は、これらナノ粒子がセンサに接合されていることを必要とし、このため、周囲流体のフローの特性識別をする方法は提供しなかった。
【００１０】
また、数千個のより小さな（４ｎｍ）ＦｅＰｔナノ粒子から成る５０〜１７５ｎｍのナノ粒子の例で、サブマイクロメートルの半導体ベースのホール・センサが、単一ナノ粒子の検出を行うことが示された。この化合物のナノ粒子はＳｉ膜の存在を必要とする複雑な操作によって位置設定され、これにより、結局はデバイスの感度が制限された。この方法は、動いているナノ粒子を検出するのには適さず、磁気トレーサを介して周囲流体の特性識別をするのにも適さなかった。かかるデバイスによる、少数のナノメートル（＜５０ｎｍ）しかない単一ナノ粒子の検出は実証されなかった。
【課題を解決するための手段】
【００１１】
１つの例示的な態様において、粒子を検出する方法は、ＡＣ磁場を使って粒子を磁化するステップと、導電性で実質的に二次元の格子構造体を有する感知デバイスにおいて、磁化された粒子からＡＣ電圧を生成するステップと、感知デバイスにおいてＤＣ磁場を生成されたＡＣ電圧に重畳するステップと、感知デバイスでＡＣホール電圧を測定するステップとを含む。
【００１２】
別の例示的な態様において、流速場を算定する方法は、ＡＣ磁場を粒子に印加することによってチャネルを流れる流体中の粒子を磁化するステップと、チャネル中の第一感知デバイスで第一ＡＣホール電圧を測定するステップであって、第一感知デバイスは電圧バイアスされた第一グラフェン素子を含む、該測定するステップと、チャネル中の第二感知デバイスで第二ＡＣホール電圧を測定するステップであって、第二感知デバイスは電圧でバイアスされた第二グラフェン素子を含む、該測定するステップと、第一測定ＡＣホール電圧と第二測定ＡＣホール電圧との間の時間シフトを算定するステップと、算定された時間シフトおよび第一感知デバイスと第二感知デバイスとの間の空間距離に基づいてチャネル中の流体の流速を算定するステップと、を含む。
【００１３】
別の例示的な態様において、装置は、ＤＣ磁場を提供するための第一コイルと、ＡＣ磁場を提供するための第二コイルと、第一コイルおよび第二コイルに近接し、電圧バイアスされている導電性で実質的に二次元の格子構造体と、を含む。第一コイルと、第二コイルと、導電性で実質的に二次元の格子構造体とは、誘電体層によって分離されている。
【００１４】
例示的な実施形態の前述のおよび他の態様は、以下の詳細な説明を添付の図面と併せ読めばより明らかとなる。
【図面の簡単な説明】
【００１５】
【図１】図１Ａおよび１Ｂは、それぞれ、グラフェンベースのホール効果センサの１つの例示的な実施形態の側面図および上面図の概略的な表現である。
【図２】図２Ａおよび２Ｂは、それぞれ、基板部および第一誘電体層によって画定されたウエハの側面図および上面図の概略的な表現であり、このウエハは図１Ａおよび１Ｂのセンサの一部を形成する。
【図３】図３Ａおよび３Ｂは、それぞれ、ウエハ上に堆積されてパターン取りされたフォトレジスト材料の側面図および上面図の概略的な表現である。
【図４】図４Ａおよび４Ｂは、それぞれ、ウエハ上に第一オンチップ・コイルを形成する金属薄膜の側面図および上面図の概略的な表現である。
【図５】図５Ａおよび５Ｂは、それぞれ、第一オンチップ・コイルの上に堆積された第二誘電体層の側面図および上面図の概略的な表現である。
【図６】図６Ａおよび６Ｂは、それぞれ、第二誘電体層の上に堆積されたフォトレジスト材料の側面図および上面図の概略的な表現であり、このフォトレジスト材料はパターン取りされている。
【図７】図７Ａおよび７Ｂは、それぞれ、第二誘電体層上に第二オンチップ・コイルを形成する金属薄膜の側面図および上面図の概略的な表現である。
【図８】図８Ａおよび８Ｂは、それぞれ、第二オンチップ・コイルの上に堆積された第三誘電体層の側面図および上面図の概略的な表現である。
【図９】図９Ａおよび９Ｂは、それぞれ、第三誘電体層上に堆積されたグラフェン層の側面図および上面図の概略的な表現である。
【図１０】図１０Ａおよび１０Ｂは、それぞれ、グラフェン層の上に堆積されたフォトレジスト材料の側面図および上面図の概略的な表現であり、このフォトレジスト材料はパターン取りされている。
【図１１】図１１Ａおよび１１Ｂは、それぞれ、エッチング処理後のグラフェン層の側面図および上面図の概略的な表現である。
【図１２】図１２Ａおよび１２Ｂは、それぞれ、グラフェン層および第三誘電体層の上に堆積されたフォトレジスト材料の側面図および上面図の概略的な表現であり、このフォトレジスト材料はパターン取りされている。
【図１３】図１３Ａおよび１３Ｂは、それぞれ、グラフェンに隣接して形成されたコンタクトのセットの側面図および上面図の概略的な表現である。
【図１４】グラフェンおよびコンタクトのセットを覆って堆積されたフォトレジスト材料の側面図の概略的な表現であり、このフォトレジスト材料はパターン取りされている。
【図１５】グラフェンベースのホール効果センサの第一オンチップ・コイル、第二オンチップ・コイル、およびグラフェン層のオーバーレイの上面図の概略的な表現であり、各種の電圧が示されている。
【図１６】グラフェンベースのホール効果センサの１つの例示的な動作原理の概略的な表現である。
【図１７】図１７Ａ〜１７Ｃは、各種のグラフェン層幾何形状を用いたセンサの動作のコンピュータ・シミュレーションの所産である。
【図１８】図１８Ａは、複数のセンサを使う二次元流れ場の１つの例示的な計測の概略的な表現であり、図１８Ｂは、時間経緯シフトにおいて計測された連続的なホール電圧信号のグラフ表現である。
【図１９】流速場の計測の１つの例示的な図解の概略的な表現である。
【図２０】流体流解析を提供するための使用に適し得る様々な電子デバイスおよび装置のブロック図である。
【図２１】流体流解析を提供する或る例示的な実施形態による、１つの例示的な方法のオペレーション、およびコンピュータ可読メモリ上に具現化されたコンピュータ・プログラム命令の実行の結果、を表す論理流れ図である。
【発明を実施するための形態】
【００１６】
本明細書で説明する例示的な諸実施形態は、マイクロ−／ナノチャネルを流通する搬送流体中に分散された、磁気トレーサとして機能する、直径が約１〜数百ナノメートルの１つ以上の磁性ナノ粒子の検出および特性識別を対象としている。これら例示的な諸実施形態は、ナノ粒子の検出および特性識別に限定されるものでなく、マイクロ粒子（直径が約１マイクロメートルまたはそれより大きい粒子）も同様に検出が可能である。本明細書で説明する例示的な諸実施形態で用いられる装置および方法は、磁気トレーサから抽出された情報を介して搬送流体そのものの特性識別を可能にする。
【００１７】
磁性ナノ粒子を検出し特性識別する諸実施形態において、マイクロ−／ナノスコピック寸法の導電性で実質的に二次元の格子構造体（例えば、グラフェン層またはシート）がマイクロ−／ナノチャネルに組み込まれ、電流の流れを促進するために電圧バイアスされる。マイクロ−／ナノチャネル内部を流れる搬送流体中の近在の磁性ナノ粒子は、外部磁場により励起され、グラフェン・シートに磁場を生成する。ホール効果によって、グラフェン・シートに検出可能な横方向ホール電圧が生成される。このホール電圧信号は、該近在の磁性ナノ粒子および搬送流体のフロー特性についての情報を伝達する。これは、流れている流体中に分散された約１ナノメートル〜数百ナノメートルの直径（それより大きいマイクロ粒子はもとより）の単一ナノ粒子の検出、およびマイクロおよびナノチャネル中の流体流の速度を算定するためこの情報を用いることを可能にする。しかして、本明細書で説明する装置および方法は、磁性ナノ粒子の流速測定に関する技法および処理を容易化する。
【００１８】
図１Ａおよび１Ｂを参照すると、グラフェンベースの磁気ホール効果センサは、全般に参照符号１００で表されており、以降、これを「センサ１００」と言う。センサ１００は、第一誘電体層１１０の上に配置され第二誘電体層１１５に覆われた第一オンチップ・コイル１０５と、第二誘電体層１１５の上に配置され第三誘電体層１２５に覆われた第二オンチップ・コイル１２０と、第三誘電体層１２５上に配置された導電性で実質的に二次元の格子構造体１３０と、第三誘電体層１２５上に配置され実質的に二次元の格子構造体１３０に隣接するコンタクトの第一セット１３５と、第三誘電体層１２５および第二誘電体層１１５を通り抜け第一オンチップ・コイル１０５にまで形成されたビアの第一セット１４５と、第三誘電体層１２５を通り抜け第二オンチップ・コイル１２０にまで形成されたビアの第二セット１４０と、を含む。第一誘電体層１１０は、固形のまたはフレキシブルな基板１５０の上に配置することができる。第一オンチップ・コイル１０５は直流（ＤＣ：ｄｉｒｅｃｔ  ｃｕｒｒｅｎｔ）磁場を生成する。第二オンチップ・コイル１２０は交流（ＡＣ：ａｌｔｅｒｎａｔｉｎｇ  ｃｕｒｒｅｎｔ）磁場を生成する。
【００１９】
導電性で実質的に二次元の格子構造体１３０は、グラフェン、ＭｏＳ２、ＷＳｅ２、黒リンなどの任意の適切な単層または多層の有機もしくは無機の積層材料にすることも、有機もしくは無機のナノチューブ／ナノワイヤ（例えば、カーボン・ナノチューブ、Ｓｉナノワイヤ等）などの疑一次元格子構造体で作られた規則的配列構造体またはランダム網状体／薄膜にすることも、前述の材料の任意の組み合せなどにすることも可能である。但し、この実質的に二次元の格子構造体１３０は、以降では、「グラフェン１３０」と言うものとする。
【００２０】
ここで図２Ａ〜１４を参照すると、センサ１００の作製が可能な主なプロセス・ステップの例が図示され記載されている。
【００２１】
図２Ａおよび２Ｂに示されるように、基板１５０は、ウエハ１５５を形成するために第一誘電体層１１０によってコートされた絶縁化され平坦化された基板であってよい。基板１５０は、例えば、ガラス、水晶、ＳｉＣ、Ｓｉ３Ｎ４などの窒化珪素、プラスチックなどの１つ以上を含んでよい。第一誘電体層１１０に対し適した誘電体材料には、以下に限らないが、ＳｉＯ２、Ａｌ２Ｏ３、ＨｆＯ、前述の組み合せなどが含まれる。かかる誘電体材料は、原子層堆積、熱蒸着、または化学蒸着（ＣＶＤ：ｃｈｅｍｉｃａｌ  ｖａｐｏｒ  ｄｅｐｏｓｉｔｉｏｎ）などの標準的な処理法を使って堆積することが可能である。
【００２２】
図３Ａおよび３Ｂに示されるように、ウエハ１５５には、マスク１６０を生成するためにポジ型フォトレジスト材料（例えばＰＭＭＡ）をコートすることができ、次いで、フォトレジストの諸部分を露出するためにｅビームまたはフォトリソグラフィ技法を使ってパターン取りし、露出域１６５を除去するための現像ステップを行えばよい。一般に、マスク１６０は、光もしくは電子ビーム・リソグラフィ・レジスト（例えば、ＰＭＭＡ、水素シルセスキオキサン（ＨＳＱ：ｈｙｄｒｏｇｅｎ  ｓｉｌｓｅｓｑｕｉｏｘａｎｅ）、または（利用可能な供給者からのＭＩＣＲＯＰＯＳＩＴ（登録商標）  Ｓ１８１８などの）ポリシリコンベースの材料）のようなソフトマスク、あるいは匹敵する堆積法により堆積された酸化物、窒化物、もしくは金属のようなハードマスクであってよい。
【００２３】
図４Ａおよび４Ｂに示されるように、露出域１６５の除去部分の中および第一誘電体層１１０の上に、標準的な金属堆積処理を使って金属薄膜を堆積することができる。この金属薄膜は、ＤＣ磁場を生成するための第一オンチップ・コイル１０５を形成することになる。第一オンチップ・コイル１０５を形成する金属薄膜のために適した金属には、以下に限らないが、Ｗ、Ｔｉ、Ｐｄ、Ａｕ、Ｃｒなどが含まれる。マスク１６０は、任意の適切なリフト・オフ技法を使って除去すればよい。
【００２４】
図５Ａおよび５Ｂに示されるように、第一オンチップ・コイル１０５は、第一オンチップ・コイル１０５を画定している金属薄膜が完全に覆われるように、第二誘電体層１１５によってコートされる。次いで第二誘電体層１１５を平坦化すればよい。第二誘電体層１１５に適した誘電体は、以下に限らないが、ＳｉＯ２、Ａｌ２Ｏ３、ＨｆＯ、前述の組み合せなどを含み、これらは、原子層堆積、熱蒸着、またはＣＶＤなどの標準的処理を使って堆積することが可能である。
【００２５】
図６Ａおよび６Ｂに示されるように、第二マスク１７０を生成するために第二誘電体層１１５をポジ型フォトレジスト（例えばＰＭＭＡ）でコートすることができ、次いで、フォトレジストの諸部分を露出するためにｅビームまたはフォトリソグラフィ技法を使ってパターン取りし、露出域１７５を除去するための現像ステップを行えばよい。一般に、第二マスク１７０は、光もしくは電子ビーム・リソグラフィ・レジスト（例えば、ＰＭＭＡ、ＨＳＱ、もしくはＳ１８１８）のようなソフトマスク、あるいは匹敵する堆積法により堆積された酸化物、窒化物、もしくは金属のようなハードマスクであってよい。
【００２６】
図７Ａおよび７Ｂに示されるように、露出域１７５の除去部分の中および第二誘電体層１１５の上に、標準的な金属堆積処理法を使って金属薄膜を堆積することができる。この金属薄膜は、ＡＣ磁場を生成するための第二オンチップ・コイル１２０を形成する。第二オンチップ・コイル１２０は、図７Ｂに示されるように、細長の直線素子とすることができる。第二オンチップ・コイル１２０を形成する金属薄膜のために適した金属には、以下に限らないが、Ｗ、Ｔｉ、Ｐｄ、Ａｕ、Ｃｒなどが含まれる。第二マスク１７０は、任意の適切なリフト・オフ技法を使って除去すればよい。
【００２７】
図８Ａおよび８Ｂに示されるように、第二オンチップ・コイル１２０は、第二オンチップ・コイル１２０を画定している金属薄膜が完全に覆われるように、第三誘電体層１２５によってコートされる。次いで第三誘電体層１２５を平坦化すればよい。第三誘電体層１２５に適した誘電体は、以下に限らないが、ＳｉＯ２、Ａｌ２Ｏ３、ＨｆＯ、前述の組み合せなどを含み、これらは、原子層堆積、熱蒸着、またはＣＶＤなどの標準的処理を使って堆積することが可能である。
【００２８】
図９Ａおよび９Ｂに示されるように、グラフェンを第三誘電体層１２５の平坦化された上部表面の上に堆積して、グラフェン１３０を層として設けることができる。グラフェンを堆積する１つの適した方法には、以下に限らないが、層を合成するためにＣＶＤを用いて銅フォイル上にグラフェンを堆積し、次いで、銅を分解してグラフェンが水に浮かぶようにし、その後、浮かんだグラフェンを、第三誘電体層１２５の平坦化された上部表面への移し替えることが含まれる。
【００２９】
図１０Ａおよび１０Ｂに示されるように、次いでグラフェン１３０は、第三マスク１８０を生成するためにネガ型フォトレジスト（例えばＰＭＭＡ）でコートすることができ、次いで、ネガ型フォトレジストの諸部分を露出するためにｅビームまたはフォトリソグラフィ技法を使ってパターン取りし、第三マスク１８０の非露光域を除去するための現像ステップを行えばよい。一般に、第三マスク１８０は、光もしくは電子ビーム・リソグラフィ・レジスト（例えば、ＰＭＭＡ、ＨＳＱ、もしくはＳ１８１８）のようなソフトマスク、あるいは匹敵する堆積法により堆積された酸化物、窒化物、もしくは金属のようなハードマスクであってよい。
【００３０】
図１１Ａおよび１１Ｂに示されるように、グラフェン１３０の露出部分（これらは、第三マスク１８０の除去された非露光域の下部にあった）は、適切な技法（例えば、酸素反応性イオン・エッチング（ＲＩＥ：ｒｅａｃｔｉｖｅ  ｉｏｎ  ｅｔｃｈｉｎｇ））によってエッチングすることが可能である。これは、第三誘電体層１２５の上に、十字型パターンのグラフェン１３０を残すことを可能にする。
【００３１】
図１２Ａおよび１２Ｂに示されるように、第四マスク１９０を生成するために、グラフェン１３０および第三誘電体層１２５の上部表面はポジ型フォトレジスト（例えばＰＭＭＡ）によってコートすることができ、次いで、ポジ型フォトレジストの諸部分を露出するためにｅビームまたはフォトリソグラフィ技法を使ってパターン取りし、第四マスク１９０の露出域１９５を除去するための現像ステップを行えばよい。一般に、第四マスク１９０は、光もしくは電子ビーム・リソグラフィ・レジスト（例えば、ＰＭＭＡ、ＨＳＱ、もしくはＳ１８１８）のようなソフトマスク、あるいは匹敵する堆積法により堆積された酸化物、窒化物、もしくは金属のようなハードマスクであってよい。
【００３２】
図１３Ａおよび１３Ｂに示されるように、除去された露出域１９５の中および第三誘電体層１２５の上に、標準的な金属堆積処理を使って、グラフェン１３０に隣接して金属薄膜を堆積することができる。除去された露出域１９５中に堆積されたこの第三金属膜は、コンタクトの第一セット１３５を形成する。コンタクトの第一セット１３５を形成するための第三金属膜に適した金属には、以下に限らないが、Ｗ、Ｔｉ、Ｐｄ、Ａｕ、Ｃｒなどが含まれる。
【００３３】
図１４に示されるように、第三誘電体層１２５、グラフェン１３０、およびコンタクトの第一セット１３５の上部表面は、第五マスク２１０を生成するためにポジ型フォトレジスト（例えばＰＭＭＡ）でコートすることができ、次いで、ポジ型フォトレジストの諸部分を露出するためにｅビームまたはフォトリソグラフィ技法を使ってパターン取りし、第五マスク２１０の露出域２１５を除去するための現像ステップを行えばよい。一般に、第五マスク２１０は、光もしくは電子ビーム・リソグラフィ・レジスト（例えば、ＰＭＭＡ、ＨＳＱ、もしくはＳ１８１８）のようなソフトマスク、あるいは匹敵する堆積法により堆積された酸化物、窒化物、もしくは金属のようなハードマスクであってよい。
【００３４】
第五マスク２１０の露出域２１５の下の開口域は、引き続いて、任意の適したエッチング方法（ＲＩＥなど）を使って、第三誘電体層１２５の開口域下方の第二オンチップ・コイル１２０に至るまで、ならびに第三誘電体層１２５および第二誘電体層１１５の開口域下方の第一オンチップ・コイル１０５に至るまでエッチングすることができる。
【００３５】
図１Ａおよび１Ｂに戻って参照すると、第二オンチップ・コイル１２０および第一オンチップ・コイル１０５に至るまで下方に開口された領域には、次いで、これらの開口域の中に、標準的な金属堆積処理を使って金属薄膜の堆積を行うことが可能である。金属のこの堆積は、第三誘電体層１２５および第二誘電体層１１５を通り抜け第一オンチップ・コイル１０５に至るビアの第一セット１４５と、第三誘電体層１２５を通り抜け第二オンチップ・コイル１２０に至るビアの第二セット１４０とを形成する。
【００３６】
ここで図１５を参照すると、（第一オンチップ・コイル１０５および第二オンチップ・コイル１２０を形成している）相異なる金属層およびグラフェン１３０のオーバーレイが概略的に示されている。グラフェン１３０の対向する端部の間の電源電圧（Ｖｓｏｕｒｃｅ）が示されている。また、他の測定対象電圧も示されている。例えば、センサ１００が流体中に配置されたとき、流れの方向のグラフェン１３０の測定電圧がＶｄｅｔｅｃｔで示されている。また、ビアの第一セット１４０にまたがるＡＣ電圧、およびビアの第二セット１４５にまたがるＤＣ電圧が、それぞれ、ＶＡＣおよびＶＤＣとして示されている。
【００３７】
図１６に示されるように、センサ１００を用いて磁性ナノ粒子を検出するための１つの例示的な動作原理が図示されている。センサ１００を用いる磁性ナノ粒子２５０の検出度を向上するために、数百ヘルツ（Ｈｚ）の周波数で作動している数ミリテスラ（ｍＴ）の小さなＡＣ磁場を使って、ナノ粒子中に同位相のＡＣ磁化が誘導される。ナノ粒子２５０の誘導された磁化によって、外部ＡＣ場がセンサ１００のグラフェン１３０に生成される。この外部ＡＣ場に外部ＤＣ磁場を重畳することによって、グラフェン１３０をまたいで測定されるＡＣホール電圧は、センサ１００に近在する磁性ナノ粒子２５０のない同等のシステムに比べて、このナノ粒子２５０の存在によって大きく増大されることになる。ＡＣホール電圧は、この外部場の周波数で動作するロックインアンプを使って測定することが可能である。この測定されたＡＣホール電圧に基づいて、磁場へのＡＣ寄与分を推測することができる。
【００３８】
図示の例示の実施形態において、直径約２０ｎｍのγ−Ｆｅ２Ｏ３のナノ粒子２５０は、幅（ＬＸ）約１μｍおよび長さ（ＬＹ）約１００ｎｍのグラフェン１３０のシートを使い、これにまたがって１００ｍＶのバイアス電圧を印加して、検出することが可能である。ナノ粒子２５０は、立方メートルあたり１２．５キロジュール（ｋＪ／ｍ３）のエネルギ密度（Ｋ）、およびメートルあたり３８０キロアンペア（ｋＡ／ｍ）の磁場強度（Ｍｓ）を有する。グラフェン１３０は、ボルト秒あたり１．５平方メートル（ｍ２／（Ｖｓ））の電子移動度（μ）、および１０１６個／ｍ２のシミュレーションに使われたグラフェン１３０において想定された電荷キャリア密度（ｎ）を有する。印加されたＡＣ磁場は、２５０Ｈｚで約５ｍＴである。印加されたＡＣ（ＴＡＣ）およびＤＣ磁場（Ｔｍ）に対する緩和時間は、それぞれ、０．６ｍｓおよび１ｍｓである。ナノ粒子２５０は、グラフェン１３０から約１００ｎｍの距離で検出可能である。図面には具体的な物理的値が付されているが、本明細書で説明する動作原理は、これらの特定の値に限定はされない。
【００３９】
図１７Ａ〜１７Ｃに図示のように、図１６に例示されているが、但し様々な幾何形状のグラフェン層を用いたセンサ１００の動作のシミュレーションが、全般的に、３００、３１０、および３２０に示されている。図１７Ｂおよび１７Ｃ中の３１０および３２０に示されるように、複数十字体の幾何形状体を有するセンサ１００は、それぞれ、流体チャネルを横切る相異なるＸ位置でのホール電圧の別々の測定を可能にする。また、これら十字体は、電圧測定のための電気接触を容易にする。これらのシミュレーションにおいて、磁性ナノ粒子２５０は、グラフェン１３０の中央に位置付けられた。中央の十字体以外の他のいずれの場所においても（もとより、例えば、図１７Ａ中に示されるように、センサ１００を横切るどの場所においても）ホール電圧の測定はゼロ信号をもたらすことになる。この特徴は、ナノ粒子２５０の検出に関し、Ｘ沿いの空間的分解能を可能にする。複数十字の幾何形状は、描かれたような３個だけでなく、任意の数（Ｎ）の十字体を有することが可能である。チャネルを横切る検出分解能は、より多数の十字体に対し、それに応じて向上することになる。この検出スキームは、磁性ナノ粒子２５０の存在の検出を可能にし、これにより、生体イムノアッセイのためにセンサ１００を使用できるようにし、抗原の存在を判断するため、磁性ナノ粒子２５０によって検出抗体を標識することが可能になる。
【００４０】
図１８Ａおよび１８Ｂに示されるように、二次元流速場の算定が一般的に図では４００に示されている。各々がグラフェン・シート１３０を含む複数のセンサ１００を、チャネル（４１０に示されている）沿いに複数の位置に配置することによって、磁性ナノ粒子２５０がチャネル４１０沿いに流れる際に、時間シフトされた一連のホール電圧信号を測定することができる。下記式１：
【００４１】
【数１】
2020109409.tif 000003
【００４２】
を用い、これら複数のホール電圧信号を相互相関させることによって、電圧信号の間の時間シフトを算定することが可能であり、これは、グラフェン・シートの間の空間距離を併せ用いて、
Ｕ＝ΔＹ／Δｔ    （式２）
で表される当該領域における周囲流体の平均流速が得られる。ここで式１のＶｃｏｒｒは相関された電圧であり、Ｖ１は第一ホール電圧信号であり、Ｖ２は第二ホール電圧信号であり、ｔは時間である。式２の、Ｕは速度であり、Ｙはチャネル沿いの距離であり、ｔは時間である。図１８Ｂ中の４５０にグラフで示されるように、時間シフト（Δｔ）に亘って引き続くホール電圧信号（Ｖ１、Ｖ２）が計測される。しかして、流体の平均流速を、（ナノチャネルまたはマイクロチャネルであり得る）チャネル４１０沿いに所定の距離（ΔＹ）で変位された２つのセンサ１００を用いていかに算定できるかが例示されている。この流速測定技法では、図示のような２つだけでなく、任意の数（Ｍ）のセンサ１００を使用してよい。かかる等しく間隔取られたＭ個のセンサ１００の配列によって、時間シフト（Δｔ）の計測がかかわる相互相関計算の信号対ノイズ比を改善することが可能である。
【００４３】
ナノ粒子２５０の磁場は極めて局所的なので、グラフェン１３０異なる場所でホール電圧を測定することによって、Ｘ（壁の法線）とＹ（流れ方向）との分解能によりナノ粒子２５０の位置を算定することができ、ナノ粒子２５０の存在の二次元情報が提供される。この二次元位置情報と、チャネル４１０沿いの相異なる位置から受信された時間シフトされた信号の相互相関とを結び付けることによって、トレーサの磁気特性だけを使って周囲流体の二次元の流速場を得ることができる。
【００４４】
図１９は、チャネル４１０のそれぞれ壁の法線と流れの方向とへの分解能であるΔＸおよびΔＹによるＮ個の十字体とＭ個のセンサとのマトリックスを使って、どのように流速場の算定を得ることが可能であるかを示す。参照信号Ｖｒｅｆを供給してこの検出スキームの信頼性をさらに向上するため、追加の十字体（５００に示されており、チャネル４１０中の磁性粒子２５０のフローの外部に配置されている）を含めることができよう。
【００４５】
さらに、三次元の流速場の算定を行うことも可能であろう。例えば、磁性ナノ粒子２５０の特性（サイズおよび材料）の知識を用いて、大きな距離で、交互の磁場の距離的立方体を調べることによって、ナノ粒子２５０の垂直位置を推定することが可能である。ホール電圧は、ナノ粒子２５０に関連付けられた磁場の強度に依存するので、ホール信号は、ナノ粒子２５０とグラフェン１３０との間の垂直距離によって変調されることになり、ナノ粒子２５０の三次元位置特定を潜在的に可能にし得る追加の情報源を提供する。このナノ粒子２５０に関する三次元位置情報と、チャネル４１０沿いの相異なる位置のセンサ１００の配列から得られる時間シフトされた相互相関とを結び付けることによって、周囲流体の三次元の流速場を得ることが可能である。
【００４６】
ここで図２０を参照すると、本明細書で説明した例示的な諸実施形態を実行するための使用に適した様々な電子デバイスおよび装置の簡単なブロック図が示されている。例えば、コンピュータ２０１０を使って、前述のプロセスの１つ以上を制御することができる。コンピュータ２０１０は、コンピュータまたはデータ・プロセッサ（ＤＰ：ｄａｔａ  ｐｒｏｃｅｓｓｏｒ）２０１４などのコントローラと、コンピュータ命令のプログラム（ＰＲＯＧ：ｐｒｏｇｒａｍ）２０１８を格納するメモリ（ＭＥＭ：ｍｅｍｏｒｙ）２０１６として具現化されたコンピュータ可読メモリ媒体とを含む。
【００４７】
ＰＲＯＧ２０１８は、関連するＤＰ２０１４に実行されると、様々な電子デバイスおよび装置が例示的な諸実施形態のとおりに動作することを可能にするプログラム命令を含む。すなわち、様々の例示的な実施形態は、コンピュータ２０１０のＤＰ２０１４によって実行可能なコンピュータ・ソフトウェアによって、またはソフトウェアとハードウェアと（およびファームウェア）の組み合せによって、少なくとも部分的に実装することが可能である。
【００４８】
また、コンピュータ２０１０は、専用のプロセッサ、例えば、ナノ粒子２５０中の同位相ＡＣ磁化の誘起を制御し、センサ１００における磁場への生成されたＡＣ寄与分を測定し、外部ＡＣ磁場に外部ＤＣ磁場を重畳し、および／またはセンサ１００のグラフェン部にまたがるＡＣホール電圧を測定する、プロセッサ２０１５を含むことができる。
【００４９】
コンピュータ可読のＭＥＭ２０１６は、ローカルの技術環境に適した任意の種類でよく、例えば、半導体ベースのメモリ・デバイス、フラッシュ・メモリ、磁気メモリ・デバイスおよびシステム、光メモリ・デバイスおよびシステム、固定メモリ、およびリムーバブル・メモリなど、任意の適切なデータ・ストレージ技術を用いて実装すればよい。ＤＰ２０１４は、ローカルの技術環境に適した任意の種類でよく、非限定の例として、汎用コンピュータ、特定用途コンピュータ、マイクロプロセッサ、デジタル信号プロセッサ（ＤＳＰ：ｄｉｇｉｔａｌ  ｓｉｇｎａｌ  ｐｒｏｃｅｓｓｏｒ）、およびマルチコア・プロセッサ・アーキテクチャに基づいたプロセッサ、の１つ以上を含んでよい。
【００５０】
本明細書で説明され、代表的な方法に関連して具体的に述べられた例示的な諸実施形態は、諸オペレーションを遂行するためのマシンによって実行可能な命令のプログラム（例えば、プログラムまたはコンピュータ・プログラム）を有形に具現化している、マシンが可読のプログラム・ストレージ・デバイス（少なくとも１つのメモリ）に一体的に実装することができる。これらのオペレーションは、本明細書で述べた方法の例示的な実施形態を活用することを含む。
【００５１】
前述に基づいて、様々の例示的な実施形態が、チャネルを流通する搬送流体中に分散している磁性ナノ粒子の検出および特性識別の方法を提供することが明らかになるはずである。
【００５２】
図２１は、チャネルを流通する搬送流体中に分散している磁性ナノ粒子の検出および特性識別の方法２１００の一例示的な実施形態のオペレーションを表す論理流れ図である。方法２１００において、２１１０で、ナノ粒子中に同位相のＡＣ磁化が誘導される。２１２０で、磁場に対するＡＣ寄与分が、ホール効果センサで受信される。受信されたＡＣ寄与分が２１３０で測定され、２１４０で、外部ＤＣ磁場が、磁場へのＡＣ寄与分上に重畳される。２１５０で、ホール効果センサのグラフェン・シートのＡＣホール電圧が測定される。２１６０で、測定されたＡＣホール電圧を使って、流体中のナノ粒子の位置、およびナノ粒子の速度の１つ以上が算定される。
【００５３】
一例示的な態様において、粒子を検出する方法は、ＡＣ磁場を使って粒子を磁化するステップと、導電性で実質的に二次元の格子構造体を有する感知デバイスにおいて、磁化された粒子からＡＣ電圧を生成するステップと、感知デバイスにおいてＤＣ磁場を生成されたＡＣ電圧に重畳するステップと、感知デバイスでＡＣホール電圧を測定するステップとを含む。
【００５４】
本方法において、磁化された粒子から感知デバイス中にＡＣ電圧を生成するステップは、感知デバイス上のＡＣコイルの両端にＡＣ電圧を印加するステップを含んでよい。ＤＣ磁場を、感知デバイス中の生成されたＡＣ電圧に重畳するステップは、ＤＣ磁場が重畳されないで感知デバイス中の生成されたＡＣ電圧に比べて、感知デバイスで測定するためのＡＣホール電圧を増大することができる。ＤＣ磁場を、感知デバイス中の生成されたＡＣ電圧に重畳するステップは、感知デバイス上のＤＣコイルの両端にＤＣ電圧を印加するステップを含んでよい。本方法は、導電性で実質的に二次元の格子構造体の対向する端部の間に電源電圧を印加するステップをさらに含むことができる。磁化された粒子から、導電性で実質的に二次元の構造体を有する感知デバイス中にＡＣ電圧を生成するステップは、電圧バイアスされたグラフェン素子中にＡＣ電圧を生成するステップを含み得る。
【００５５】
別の例示的な態様において、流速場を算定する方法は、粒子にＡＣ磁場を印加することによってチャネル中を流れる流体中の粒子を磁化するステップと、チャネル中の第一感知デバイスで第一ＡＣホール電圧を測定するステップであって、第一感知デバイスは電圧バイアスされた第一グラフェン素子を含む、該測定するステップと、チャネル中の第二感知デバイスで第二ＡＣホール電圧を測定するステップであって、第二感知デバイスは電圧でバイアスされた第二グラフェン素子を含む、該測定するステップと、第一測定ＡＣホール電圧と第二測定ＡＣホール電圧との間の時間シフトを算定するステップと、算定された時間シフトおよび第一感知デバイスと第二感知デバイスとの間の空間距離に基づいてチャネル中の流体の流速を算定するステップと、を含む。
【００５６】
チャネル中の第一感知デバイスで第一ＡＣホール電圧を測定するステップは、第一感知デバイスの導電性で実質的に二次元の格子構造体中で、磁化された粒子からＡＣ電圧を生成するステップと、第一感知デバイスの導電性で実質的に二次元の格子構造体中で、ＤＣ磁場を生成されたＡＣ電圧に重畳するステップとを含んでよい。第一測定ＡＣホール電圧と第二測定ホール電圧との間の時間シフトを算定するステップは、本明細書記載の式（１）を使って、第一測定ＡＣホール電圧と第二測定ＡＣホール電圧とを相互相関させるステップを含み得る。チャネル中を流れる流体の平均流速は、本明細書記載の式（２）によって表すことができる。本方法は、第一感知デバイスおよび第二感知デバイスにチャネルの外部の参照電圧を供給するステップをさらに含むことが可能である。
【００５７】
別の例示的な態様において、装置は、ＤＣ磁場を供給する第一コイルと、ＡＣ磁場を供給する第二コイルと、第一コイルおよび第二コイルに近接し、電圧バイアスされた、導電性で実質的に二次元の格子構造体と、を含む。第一コイルと、第二コイルと、および導電性で実質的に二次元の格子構造体とは誘電体層で分離される。
【００５８】
本装置は、導電性で実質的に二次元の格子構造体に接触して配置されたコンタクトの第一セットをさらに含むことができる。本装置は、第一コイルに接触しているビアの第一セット、および第二コイルに接触しているビアの第二セットをさらに含むことが可能である。導電性で実質的に二次元の格子構造体はグラフェンを含むことができる。この導電性で実質的に二次元の格子構造体は、ＭｏＳ２、ＷＳｅ２、黒リン、カーボン・ナノチューブ、Ｓｉナノワイヤ、または前述の材料の任意の組み合せを含んでよい。誘電体層の少なくとも１つを、ガラス、水晶、ＳｉＣ、窒化珪素、プラスチック、または前述の材料の任意の組み合わせの基板の上に配置することができる。これら誘電体層の少なくとも１つは、ＳｉＯ２、Ａｌ２Ｏ３、ＨｆＯ、または前述の材料の任意の組み合わせを含んでよい。第二コイルは、細長のリニアな素子にすればよい。
【００５９】
前述の説明では、例示のための非限定の例として、様々の例示的な実施形態を実行するため発明人らによって現在考えられた最良の方法および装置の、包括的で情報供与的説明を提供してきた。しかしながら、当業者には、付加の図面および添付の特許請求の範囲に関連させて前述の説明を読めば、様々な変更および適合が自明となろう。しかしながら、全てのかかる、または類似の変更は、これら例示的な実施形態の教示の範囲になお含まれることになる。
【００６０】
さらに、好ましい実施形態の特徴の一部を、対応する他の特徴の使用なしに有利に用いることもできよう。しかして、前述の説明は、本原理の単なる例示であってこれを限定するものではないと見なすべきである。
【図１】
2020109409.tif 000005
【図２】
2020109409.tif 000006
【図３】
2020109409.tif 000007
【図４】
2020109409.tif 000008
【図５】
2020109409.tif 000009
【図６】
2020109409.tif 000010
【図７】
2020109409.tif 000011
【図８】
2020109409.tif 000012
【図９】
2020109409.tif 000013
【図１０】
2020109409.tif 000014
【図１１】
2020109409.tif 000015
【図１２】
2020109409.tif 000016
【図１３】
2020109409.tif 000017
【図１４】
2020109409.tif 000018
【図１５】
2020109409.tif 000019
【図１６】
2020109409.tif 000020
【図１７】
2020109409.tif 000021
【図１８】
2020109409.tif 000022
【図１９】
2020109409.tif 000023
【図２０】
2020109409.tif 000024
【図２１】
2020109409.tif 000025